(57)【要約】【課題】テンプルやブリッジのがたつきを防止することができ、かつ見栄えのよい外観を得ることができる縁なし眼鏡を得る。【解決手段】レンズ１２にテンプル１４やブリッジを取り付ける際、レンズ止め部１８の筒状部２４をレンズ孔３４に挿通する。このとき、レンズ止め部１８に形成された段差部２２の側壁２２ａが、レンズ１２の端縁部Ｔに接するように配置される。さらに、レンズ１２の他方面側から、ワッシャ３６を介して、ボルト２８をレンズ孔３４内に挿通する。レンズ孔３４内において、筒状部２４に形成された雌ねじ部とボルト２８の雄ねじ部２８ａとを螺合させる。レンズ１２の端縁部Ｔおよび段差部２２の側壁２２ａは、直線状またはゆるやかな曲線状に形成される。【選択図】　　　図２
2004086104.tif 000002
【特許請求の範囲】
【請求項１】
レンズ、
前記レンズの端縁近傍において前記レンズを貫通するように形成されるレンズ孔、
前記レンズに取り付けられるテンプルおよびブリッジを固定するために前記レンズ孔に挿通される留め具、および
前記テンプルおよび前記ブリッジに形成され、前記留め具によって前記レンズに固定されるとともに前記レンズの端縁部に接するように形成される段差部を有するレンズ止め部を含み、
前記レンズの端縁部の前記段差部に接する部分が直線状または緩やかな曲線状に形成され、かつ前記レンズ止め部から前記レンズの端縁部に沿って突出する突出部が前記レンズ止め部の少なくとも一方に形成されていないことを特徴とする、縁なし眼鏡。
【請求項２】
前記突出部は、前記レンズ止め部の両側のいずれにも形成されていないことを特徴とする、請求項１に記載の縁なし眼鏡。
【請求項３】
前記レンズの端縁部に沿った向きにおける前記レンズ止め部の幅は、２．５ｍｍ以上であることを特徴とする、請求項２に記載の縁なし眼鏡。
【請求項４】
前記留め具は、前記レンズ止め部から伸びて形成され内部に雌ねじ部が形成された筒状部と、前記筒状部の前記雌ねじ部に螺合される雄ねじ部が形成されたボルトとで構成され、前記筒状部と前記ボルトとが前記レンズ孔内で螺合されることを特徴とする、請求項１ないし請求項３のいずれかに記載の縁なし眼鏡。
【発明の詳細な説明】
【０００１】
【発明の属する技術分野】
この発明は、縁なし眼鏡に関する。
【０００２】
【従来の技術】
図８は、従来の縁なし眼鏡の一例を示す斜視図である。縁なし眼鏡１は、２つのレンズ２を含む。２つのレンズ２の端部には、それぞれテンプル３が取り付けられる。さらに、２つのレンズ２を連結するようにして、ブリッジ４が取り付けられる。
【０００３】
テンプル３およびブリッジ４には、レンズ２に固定するためのレンズ止め部５が形成される。さらに、レンズ２の端縁近傍には、レンズ２を貫通するレンズ孔が形成される。そして、ボルトなどがレンズ孔に挿通され、このボルトなどによってレンズ２とレンズ止め部５とが固定される。さらに、レンズ止め部５は、レンズ２の端縁部に接するようにして、突出部６が形成される。突出部６は、レンズ止め部５の両側から、レンズ２の端縁部に沿った向きに突出するように形成される。このような突出部６がレンズ２の端縁部に接するようにして配置されることにより、レンズ止め部５がしっかりと固定され、テンプル３やブリッジ４とレンズ２との間のがたつきを防止することができる。
【０００４】
【発明が解決しようとする課題】
縁なし眼鏡においては、テンプルやブリッジが目立たないように、細くなる傾向にある。そのため、レンズ止め部も小さくして、レンズの周囲をすっきりさせることが好ましい。しかしながら、レンズ止め部を小さくしすぎると、レンズ孔に挿通されたボルトなどの留め具を中心としてレンズ止め部が回転し、テンプルやブリッジががたつく原因となる。
【０００５】
それゆえに、この発明の主たる目的は、テンプルやブリッジのがたつきを防止することができ、かつ見栄えのよい外観を得ることができる縁なし眼鏡を提供することである。
【０００６】
【課題を解決するための手段】
この発明は、レンズと、レンズの端縁近傍においてレンズを貫通するように形成されるレンズ孔と、レンズに取り付けられるテンプルおよびブリッジを固定するためにレンズ孔に挿通される留め具と、テンプルおよびブリッジに形成され、留め具によってレンズに固定されるとともにレンズの端縁部に接するように形成される段差部を有するレンズ止め部とを含み、レンズの端縁部の段差部に接する部分が直線状または緩やかな曲線状に形成され、かつレンズ止め部からレンズの端縁部に沿って突出する突出部がレンズ止め部の少なくとも一方に形成されていないことを特徴とする、縁なし眼鏡である。
このような縁なし眼鏡において、突出部は、レンズ止め部の両側のいずれにも形成されていないことが好ましい。
この場合、レンズの端縁部に沿った向きにおけるレンズ止め部の幅は、２．５ｍｍ以上であることが好ましい。
また、留め具は、レンズ止め部から伸びて形成され内部に雌ねじ部が形成された筒状部と、筒状部の雌ねじ部に螺合される雄ねじ部が形成されたボルトとで構成することができ、この場合、筒状部とボルトとがレンズ孔内で螺合される。
【０００７】
レンズにテンプルやブリッジを取り付けるために、留め具によってレンズ止め部がレンズに固定される。このとき、レンズ止め部に段差部が設けられ、この段差部がレンズの端縁部に接することにより、留め具を中心としてレンズ止め部が回転するのを防止することができる。そのため、レンズの端縁部に沿ってレンズ止め部から突出するように形成される突出部が不要となり、段差部によってテンプルやブリッジのがたつきを防止することができる。このとき、段差部に接するレンズの端縁部の形状を直線状またはゆるやかな曲線状とすることにより、効果的にレンズ止め部の回転を防止することができる。
ここで、レンズ止め部の少なくとも一方に突出部が形成されていなければ、縁なし眼鏡の外観をすっきりしたものにすることができる。特に、段差部のみでレンズの端縁部に接触し、突出部がない構造とすれば、美麗な外観を得ることができる。
なお、突出部を形成しない場合、レンズ止め部の幅は、２．５ｍｍ以上にすることにより、安定してテンプルやブリッジをレンズに固定することができる。
さらに、レンズ止め部から伸びる筒状部とボルトとで留め具を構成することにより、レンズの一方面側から筒状部をレンズ孔に挿通した状態で、レンズの他方面側からボルトを筒状部に螺合させることができる。そのため、筒状部の外径をレンズ孔の内径に合わせておくことにより、レンズ孔内での留め具の動きを抑制することができる。それにより、段差部がレンズの端縁部に接触した状態を保持することができ、テンプルやブリッジのがたつきを抑制することができる。
【０００８】
この発明の上述の目的，その他の目的，特徴および利点は、図面を参照して行う以下の発明の実施の形態の詳細な説明から一層明らかとなろう。
【０００９】
【発明の実施の形態】
図１は、この発明の縁なし眼鏡の一例を示す斜視図である。縁なし眼鏡１０は、２つのレンズ１２を含む。レンズ１２の一端側には、テンプル１４が取り付けられる。さらに、２つのレンズ１２は、ブリッジ１６によって連結される。テンプル１４およびブリッジ１６にはレンズ止め部１８が形成され、このレンズ止め部１８によってテンプル１２およびブリッジ１６がレンズ１２に固定される。
【００１０】
レンズ止め部１８は、図２および図３に示すように、レンズ１２の一方面側から端縁部側に向かって湾曲し、智２０に連続するように形成される。そして、レンズ止め部１８の内側には、段差部２２が形成される。段差部２２は、レンズ止め部１８の内側の面のレンズ１２に接する部分に対して、ほぼ直角に形成される側壁２２ａを有する。段差部２２が形成されたレンズ止め部１８の内側には、円筒状の筒状部２４が形成される。
【００１１】
筒状部２４は、レンズ１２の一方面に接するレンズ止め部１８の内側の面から、段差部２２の側壁２２ａに沿って伸びるように形成される。筒状部２４は、レンズ１２の厚みより若干短く形成される。さらに、筒状部２４の内周面には、雌ねじ部２６が形成される。さらに、筒状部２４の雌ねじ部２６にボルト２８の雄ねじ部２８ａが螺合されることによって、レンズ止め部１８がレンズ１２に固定される。これらの筒状部２４およびボルト２８によって、留め具３０が構成される。レンズ止め部１８から連続して形成される智２０は、蝶番３２を介してテンプル１４に連結される。したがって、テンプル１４は、蝶番３２部分で折り曲げ可能に形成されている。
【００１２】
また、レンズ１２の端縁近傍には、レンズ１２の一方面側から他方面側に向かって貫通する円形のレンズ孔３４が形成される。このレンズ孔３４に、レンズ１２の一方面側から、レンズ止め部１８に形成された筒状部２４が挿通される。このとき、筒状部２４はレンズ１２の厚みより短く形成されているため、筒状部２４の先端部はレンズ孔３４の内部に位置する。この状態で、レンズ１２の他方面側から、ワッシャ３６を通して、ボルト２８が筒状部２４に螺入される。ここで、筒状部２４の先端部がレンズ孔３４内に位置するため、弾性を有するワッシャ３６を用いれば、ワッシャ３６がレンズ孔３４内に向かって撓み、その弾性によってボルト２８が弛みにくくなる。
【００１３】
このようにして、レンズ止め部１８がレンズ１２に固定される。このとき、レンズ止め部１８の段差部２２の側壁２２ａが、レンズ１２の端縁部に接した状態となる。このように、レンズ１２の端縁部に段差部２２の側壁２２ａが接することにより、筒状部２４を中心としてレンズ止め部１８が回転するのを防止することができる。
【００１４】
ここで、レンズ１２の端縁部の段差部２２が接する部分Ｔは、直線状またはゆるやかな曲線状となるように形成される。そして、レンズ１２の端縁部に接する１８の段差部２２の側壁２２ａ部分も、レンズ１２の端縁部Ｔに合わせて、直線状またはゆるやかな曲線状となるように形成される。レンズ１２の端縁部Ｔと段差部２２の側壁２２ａの形状が円弧状に近いと、筒状部２４を中心としてレンズ止め部１８が回転しやすいが、直線状またはゆるやかな曲線状とすることにより、レンズ止め部１８の回転が抑制される。したがって、テンプル１４のがたつきを防止することができる。
【００１５】
なお、レンズ止め部１８の回転を防止するためには、ある程度の幅が必要である。つまり、レンズ１２の端縁に沿った向きにおけるレンズ止め部１８の幅Ｗは、２．５ｍｍ以上となるように形成される。これは、レンズ１２の端縁部Ｔと段差部２２の側壁２２ａとの接触幅が少なすぎると、レンズ止め部１８の回転を抑えることが困難であるためである。そこで、レンズ止め部１８の幅Ｗを２．５ｍｍ以上とすることにより、安定してレンズ止め部１８をレンズ１２に固定することができる。
【００１６】
このように、この縁なし眼鏡１０では、レンズ止め部１８にレンズ１２の端縁部に沿って突出する突出部が形成されていないため、縁なし眼鏡１０の外観をすっきりしたものにすることができる。さらに、レンズ１２の端縁部Ｔと段差部２２の側壁２２ａとの接する部分が直線状またはゆるやかな曲線状に形成されることにより、レンズ止め部１８のがたつきを効果的に防止することができる。
【００１７】
また、ブリッジ１６も、テンプル１４を取り付けるのと同様に、レンズ止め部１８によってレンズ１２に取り付けられる。なお、ブリッジ１６には、図４に示すように、鼻の両側に当たるパッド３８が形成されている。このブリッジ１６においても、レンズ１２の端縁部に沿って突出する突出部が形成されていないため、縁なし眼鏡１０の外観をすっきりしたものにすることができる。
【００１８】
このブリッジ１６についても、レンズ１２の端縁部に沿った向きのレンズ止め部１８の幅は、２．５ｍｍ以上となるように形成される。このような幅とすることにより、段差部２２の側壁２２ａがレンズ１２の端縁部Ｔに直線状またはゆるやかな曲線状となるように接し、レンズ止め部１８のがたつきを抑えることができる。
【００１９】
なお、図５に示すように、ブリッジ１６のレンズ止め部１８において、段差部２２から連続して下側に突出する突出部４０が形成されてもよい。このような突出部４０がレンズ１２の端縁部に沿って配置されることにより、レンズ止め部１８の幅が２．５ｍｍ未満であっても、レンズ止め部１８のがたつきを防止することができる。このように、突出部４０が形成される場合であっても、レンズ止め部１８の一方側にのみ形成されていれば、レンズ止め部１８の両側に突出部が形成される場合に比べて、縁なし眼鏡１０の外観をすっきりしたものにすることができる。さらに、突出部４０は、図６に示すように、レンズ止め部１８の上側にのみ形成されてもよい。同様に、テンプル１４に形成されるレンズ止め部１８についても、レンズ止め部１８の一方側にのみ突出部４０が形成されてもよい。
【００２０】
また、レンズ止め部１８をレンズ１２に固定するために、図７に示すように、ボルト４２とナット４４とからなる留め具３０を用いてもよい。この場合、のレンズ孔３４に対応する位置において、レンズ止め部１８に貫通孔４６が形成され、この貫通孔４６とレンズ孔３４にボルト４２が挿通される。さらに、ボルト４２にナット４４が取り付けられ、レンズ止め部１８がレンズ１２に固定される。
【００２１】
このように、留め具３０の構成としては、筒状部２４とボルト２８との組み合わせに限らず、レンズ止め部１８をレンズ１２に固定できるものであれば、種々の構成を採用することができる。このように、留め具３０の構成が変わっても、レンズ止め部１８の段差部２２がレンズ１２の端縁部に沿って配置されることにより、レンズ止め部１８のがたつきを防止することができる。
【００２２】
なお、ボルト４２とナット４４とを用いる場合、通常、レンズ孔３４の直径がレンズ止め部１８の貫通孔４６より大きく形成される。それによって、レンズ孔３４と貫通孔４６との間に多少のずれがあっても、ボルト４２を挿通することができる。しかしながら、この場合、ボルト４２の軸部とレンズ孔３４の周囲の壁面との間に隙間が生じるため、レンズ１２の位置がずれて、レンズ止め部１８にがたつきが生じる恐れがある。それに対して、図２および図３に示すような筒状部２４をレンズ孔３４に挿通する場合、レンズ孔３４の内径と筒状部２４の外径とをほぼ同じ寸法にすることができ、レンズ止め部１８のがたつきを効果的に防止することができる。したがって、留め具３０の構成としては、筒状部２４とボルト２８との組合せが好ましい。
【００２３】
【発明の効果】この発明によれば、レンズ止め部に段差部を形成することにより、レンズにテンプルやブリッジを取り付けるために、レンズ止め部から突出する突出部の少なくとも一方を形成する必要がない。そのため、縁なし眼鏡の外観を美麗なものにすることができる。また、段差部がレンズの端縁部に沿って接するように配置されることにより、レンズ止め部が回転したりせず、テンプルやブリッジのがたつきを防止することができる。
【図面の簡単な説明】
【図１】この発明の縁なし眼鏡の一例を示す斜視図である。
【図２】図１に示す縁なし眼鏡のレンズ止め部とレンズとの関係を示す分解斜視図である。
【図３】図１に示す縁なし眼鏡のレンズ止め部とレンズとの関係を示す要部断面図である。
【図４】レンズに取り付けられるブリッジの一例を示す平面図である。
【図５】レンズに取り付けられるブリッジの他の例を示す平面図である。
【図６】レンズに取り付けられるブリッジのさらに他の例を示す平面図である。
【図７】レンズ止め部をレンズに取り付けるための留め具の他の例を示す要部断面図である。
【図８】従来の縁なし眼鏡の一例を示す斜視図である。
【符号の説明】
１０　縁なし眼鏡
１２　レンズ
１４　テンプル
１６　ブリッジ
１８　レンズ止め部
２０　智
２２　段差部
２４　筒状部
２６　雌ねじ部
２８　ボルト
３０　留め具
３２　蝶番
３４　レンズ孔
３６　ワッシャ
３８　パッド
４０　突出部
４２　ボルト
４４　ナット
４６　貫通孔
【図１】
2004086104.tif 000003
【図２】
2004086104.tif 000004
【図３】
2004086104.tif 000005
【図４】
2004086104.tif 000006
【図５】
2004086104.tif 000007
【図６】
2004086104.tif 000008
【図７】
2004086104.tif 000009
【図８】
2004086104.tif 000010